(57)【要約】【課題】通信ネットワーク内の無線トランシーバの配置を容易にする技術を提供する。【解決手段】無線通信方法設定された基地局に第１のチャネルでデータを送信するステップであって、データは新規基地局のカバー・エリア内において第１のチャネルで送信されるステップと、新規基地局から第２のチャネルでデータを受信するステップであって、第２のチャネルは新規基地局によって、少なくとも部分的に、移動局と設定された基地局との間の第１のチャネルで送信されたデータについて、ある時間の間、新規基地局が行うサンプリングに基づいて、選択されるステップとを含む。【選択図】図２
2014131340.tif 000002
【特許請求の範囲】
【請求項１】
設定された基地局に第１のチャネルでデータを送信するステップであって、前記データは新規基地局のカバー・エリア内において前記第１のチャネルで送信されるステップと、
前記新規基地局から第２のチャネルでデータを受信するステップであって、前記第２のチャネルは前記新規基地局によって、少なくとも部分的に、移動局と前記設定された基地局との間の前記第１のチャネルで送信されたデータについて、ある時間の間、前記新規基地局が行うサンプリングに基づいて、選択されるステップと
を含む無線通信方法。
【請求項２】
前記新規基地局の前記カバー・エリア内の、少なくとも１つの他の移動局及び少なくとも１つの他の設定された基地局により送信されたデータについて、ある時間の間、前記新規基地局が行うサンプリングに基づいて、
前記第２のチャネルが前記新規基地局によって更に選択される請求項１に記載の方法。
【請求項３】
前記移動局から前記新規基地局へレンジング信号を送信するステップと、
前記送信するレンジング信号に応答して、前記移動局が、更新された送信パラメータに従って前記新規基地局から送信されたデータを受信するステップと
をさらに含む請求項１に記載の方法。
【請求項４】
前記更新された送信パラメータは、調整された送信電力を含む請求項３に記載の方法。
【請求項５】
前記更新された送信パラメータは、調整されたアンテナの傾きを含む請求項３に記載の方法。
【請求項６】
前記サンプリングは、前記移動局と前記設定された基地局との間で送信された前記データの電力を測定することを含む請求項１に記載の方法。
【請求項７】
新規基地局のカバー・エリア内で複数の移動局と複数の設定された基地局との間の通信に用いられるチャネルを示す情報を、前記新規基地局に送信するステップと、
前記新規基地局の前記カバー・エリア内の前記複数の設定された基地局と前記複数の移動局との間の双方向通信の測定値に関する情報を、前記新規基地局から受信するステップと、
前記受信に応答して、前記新規基地局と前記複数の移動局のうち少なくとも１つとからのデータ伝送のための送信パラメータを更新する命令を、前記新規基地局に送信するステップと
を含む無線通信方法。
【請求項８】
前記受信に応答して、前記複数の設定された基地局のうち少なくとも１つと前記複数の移動局のうち少なくとも１つの他の移動局とからのデータ伝送のための送信パラメータを更新する命令を、前記複数の設定された基地局のうち少なくとも１つに送信するステップをさらに含む請求項７に記載の方法。
【請求項９】
前記通信に用いられるチャネルを示す情報は、前記複数の移動局のいずれが特定チャネル上の前記複数の設定された基地局のいずれと通信するかを前記新規基地局が決定するのに十分である請求項７に記載の方法。
【請求項１０】
前記新規基地局からのデータ伝送のための更新された送信パラメータは、調整された送信電力を含む請求項７に記載の方法。
【請求項１１】
前記新規基地局からのデータ伝送のための更新された送信パラメータは、調整されたアンテナの傾きを含む請求項７に記載の方法。
【請求項１２】
無線ネットワークのサービスを最適化する方法であって、
第２の基地局のための１組の送信パラメータを第１の基地局において計算するステップであって、前記１組の送信パラメータはサービス基準を実現するように計算されるステップと、
前記第２の基地局において行われる測定に対応して、前記第２の基地局からの信号を前記第１の基地局において受信するステップであって、前記測定は、前記第２の基地局と移動局との間の無線通信に基づくステップと、
前記第１の基地局から、前記第２の基地局にコマンドを送信するステップであって、前記コマンドは、前記サービス基準を実現するための前記第２の基地局による調整を含むステップと
を含む方法。
【請求項１３】
前記コマンドは、カバー・エリアのパワー・レベル、周波数、又は動作モードの調整を含む請求項１２に記載の方法。
【請求項１４】
前記コマンドは、１日の時刻又は曜日に応じて異なる請求項１３に記載の方法。
【発明の詳細な説明】
【技術分野】
【０００１】
本発明は、無線通信に関し、より詳細には、無線ネットワークにおける基地局のカバー範囲および容量を増大するシステムおよび方法に関し、さらに詳細には、通信ネットワーク内の無線トランシーバ（ｗｉｒｅｌｅｓｓ  ｔｒａｎｓｃｅｉｖｅｒ）の配置のためのそのような方法およびシステムに関する。
【背景技術】
【０００２】
無線通信システムで経験される１つの問題は、基地局を配置することである。基地局（送信機／受信機）がカバー・エリアに配置された後は、所望のカバー範囲または容量を提供するためにそのそれぞれのパラメータを設定することができることが重要である。
【０００３】
このコンテキストでは、カバー範囲は、基地局へのまたはそれからの信号によってカバーされる地理的エリアであり、容量は、移動装置へまたはそれらから基地局を通過することができるデータの量を指す。基地局は、カバー・エリアまたは容量（スループット）のどちらに関しても最適化されることができる。通常、そのような最適化は、無線ネットワークの設計者にとって利用可能な１組の複雑なツールを使用することにより実現されてきた。これらのツールは、特定の基地局のカバー・エリアを計算する際に使用すべく設計者に信号伝搬モデルを提供する。設計者はまた、ある距離だけ離れた別の基地局と通信している移動装置に関して生じる可能性がある干渉をも推定するので、これらは同じチャネル上にあってもよいし、同じチャネル上になくてもよい。
【０００４】
ある無線ネットワークでは、干渉問題を回避するために、様々な基地局がそれぞれ異なるチャネルまたは周波数を使用する。隣接するまたは近くの基地局間のそのような干渉問題を回避するまたは最小限に抑えるために、無線ネットワーク周波数計画が使用される。
【０００５】
たとえばＯＦＤＭおよびＯＦＤＭＡなどのより新しい無線システムでは、複数の基地局にまたがって周波数およびチャネルをオーバーラップし、同時に通信している様々な移動装置にそれぞれ異なる組合せのサブチャネル（サブキャリア）を割り当てることにより干渉を排除する傾向がある。これらの変調方式は、干渉を許容することができる点で様々なデータレート（ｄａｔａ  ｒａｔｅ）および様々な程度の強靭さを可能にする。理想的なシステムは、基地局が多数の移動装置に、装置間の干渉なしに、サービスすることができるシステムである。そのような理想的なシステムを実現するためには、通信している各移動装置が強い信号を有することが重要である。一方、２つの移動装置がそれぞれ２つの基地局のカバー範囲の端にあり、伝搬が均一である場合、それらの移動装置は干渉を受ける可能性が最も大きいはずである。この干渉は、データの保全性を保護するために、それらの装置のデータレートを低減する。
【０００６】
新規の送信機／受信機（本明細書ではトランシーバと呼ぶ）の位置の問題に戻ると、上記で議論したように、ネットワーク設計者が位置を決め、トランシーバを立ち上げ、設置し、次いで、このトランシーバのために予め計算された計画に従ってパワー・レベル、アンテナの仰角などを調整することによりチューン・アップする。これらの調整が行われた後は、トランシーバが起動され、「実際に何が起こるかを見る」。次いで、技術者は、パワー・レベルを再調整し、アンテナのダウン・チルト（ｄｏｗｎ  ｔｉｌｔ）を調整し、このアンテナを別の方位角を有するアンテナと多分スワップ・アウトすることができる。トランシーバが干渉を引き起こし続けるかまたは指定のエリアを適切にカバーしない場合、ネットワーク調整が行われるかまたはパワー・レベルがさらに低減されなければならない可能性がある。ある場合には、隣接する基地局が読み取られる必要もある。
【発明の概要】
【発明が解決しようとする課題】
【０００７】
通信ネットワーク内の無線トランシーバの配置を容易にする技術を提供する。
【課題を解決するための手段】
【０００８】
本発明の新規基地局を無線通信ネットワークに追加する方法は、前記ネットワークが前記ネットワークのカバー・エリアへの無線通信を提供し、前記ネットワークが多数の基地局を有し、前記新規基地局がそのアクティブ化時に、かつ前記新規基地局がそれ自体の送信に関してオン・ラインになる前に、前記新規基地局のカバー・エリア内の前記多数の基地局へのおよびそれらからの既存の送信データをある時間の間サンプリングするステップと、前記新規基地局の制御下で、前記新規基地局のために確立された基準を実現するように計算された１組の送信パラメータを導出するステップであって、前記導出された１組の送信パラメータが前記サンプリングに基づくステップと、を含む。
【０００９】
本発明の無線通信方法は、設定された基地局に第１のチャネルでデータを送信するステップであって、前記データは新規基地局のカバー・エリア内において前記第１のチャネルで送信されるステップと、前記新規基地局から第２のチャネルでデータを受信するステップであって、前記第２のチャネルは前記新規基地局によって、少なくとも部分的に、移動局と前記設定された基地局との間の前記第１のチャネルで送信されたデータについて、ある時間の間、前記新規基地局が行うサンプリングに基づいて、選択されるステップと、を含む。
【００１０】
本発明の無線通信方法は、新規基地局のカバー・エリア内で複数の移動局と複数の設定された基地局との間の通信に用いられるチャネルを示す情報を、前記新規基地局に送信するステップと、前記新規基地局の前記カバー・エリア内の前記複数の設定された基地局と前記複数の移動局との間の双方向通信の測定値に関する情報を、前記新規基地局から受信するステップと、前記受信に応答して、前記新規基地局と前記複数の移動局のうち少なくとも１つとからのデータ伝送のための送信パラメータを更新する命令を、前記新規基地局に送信するステップと、を含む。
【００１１】
本発明の無線ネットワークのサービスを最適化する方法は、第２の基地局のための１組の送信パラメータを第１の基地局において計算するステップであって、前記１組の送信パラメータはサービス基準を実現するように計算されるステップと、前記第２の基地局において行われる測定に対応して、前記第２の基地局からの信号を前記第１の基地局において受信するステップであって、前記測定は、前記第２の基地局と移動局との間の無線通信に基づくステップと、前記第１の基地局から、前記第２の基地局にコマンドを送信するステップであって、前記コマンドは、前記サービス基準を実現するための前記第２の基地局による調整を含むステップと、を含む。
【００１２】
通信基地局は、選択された新規の位置に設置され、基地局は、「オン・ライン」になる前に、新規基地局のカバー・エリアの干渉範囲内の他の基地局からの無線トラフィックをモニタリングする。新規基地局はまた、そのカバー・エリア内の移動装置とこれらの他の基地局との間の無線トラフィックもモニタリングする。次いで、これらのモニタリングされた条件ならびに他の知られている条件に基づいて、新規基地局は、容量とカバー・エリアとの間の所望の最適化を実現するために、それが適用すべき送信パラメータ構成を決定する。
【００１３】
新規基地局がオン・ラインになった後、セントラル・コントロールが、追加の変更が必要かどうか判定するためにネットワーク全体をモニタリングすることができ、追加の変更が必要な場合は、新規のトランシーバまたは他のいかなるトランシーバも、干渉に関してそれ自体をモニタリングし、全般的なネットワークのカバー範囲および容量を改善するために是正処置を取るように指令されることができる。
【００１４】
一実施形態では、干渉を最小限に抑えるために、新規基地局がオン・ラインになると、動作パワー・レベルが徐々に上げられる。さらに、所望された場合、新規基地局は、そのアンテナ・ビームの仰角、ポインティング角およびビーム幅を自動的に調整することができる。
【００１５】
一実施形態では、新規基地局は、その使用に最適の動作パラメータを決定し、それらのパラメータがネットワーク内で干渉を引き起こした場合、セントラル・コントロールがネットワークの調整を支援してネットワーク全体の最適化を実現する。
【００１６】
前記では、以下の本発明の詳細な説明がよりよく理解されるように、本発明の特徴および技術的利点をかなり幅広く概説してきた。以下では、本発明の特許請求の範囲の主題を形成する本発明の追加の特徴および利点を説明する。開示された概念および特定の実施形態は、本発明の同じ目的を実行するために他の構造体を変更または設計するためのベースとして容易に利用されることができることが、当業者によって理解されるべきである。また、そのような同等の構成物は添付の特許請求の範囲に記載されている本発明の主旨および範囲から逸脱しないことも当業者によって理解されるべきである。さらなる目的および利点と共に本発明の構成および実施方法の両方に関して本発明の特徴であると信じられる新規の特徴は、添付の諸図に関連して考察される場合、以下の説明からよりよく理解されるであろう。しかし、各図は例示および説明のためにのみ提供され、本発明の限界の定義を意味しないことが明確に理解されるべきである。
【００１７】
次に、本発明のより完全な理解のために、添付の図面に関連して行われる以下の説明に言及する。
【図面の簡単な説明】
【００１８】
【図１Ａ】基地局が追加される無線ネットワークの一実施形態を示す図である。
【図１Ｂ】無線ネットワークのカバー・エリア内のいくつかの位置での前および後の特徴の図表である。
【図２】本発明の一実施形態を示す流れ図である。
【図３】カバー・エリアを示す本発明の一実施形態の図である。
【発明を実施するための形態】
【００１９】
図１Ａは、破線１２によって画定されたカバー・エリアを有する１つの基地局１１を最初のうちは有する無線ネットワーク１０を示す。基地局１１への／からの送信およびその他の制御は、所望された場合、基地局と一緒に配置されてもよいセントラル・コントロール（ＮＯＣ）１２０と共に基地局コントローラ１２１によって制御される。基地局コントローラ１２１の中には、今ではよく知られているようにデータベースおよび基地局への／からの送信を制御する少なくとも１つのソフトウェア・プログラムが含まれている。理解されるように、基地局１１からの送信は理論的にはポイント１０４まで到達する可能性があるが、その位置へのおよびそれからの送信は低エネルギーのために不十分である可能性が非常に大きいはずである。携帯電話、ＰＤＡ、コンピュータ、双方向ページャなどの移動装置は、基地局ほど多くのエネルギーで送信しないので、ほとんどの無線装置は基地局ほど遠くまで送信することができないはずであり、したがって、実際のカバー・エリアは破線１２で示されているものよりさらに小さいはずである。
【００２０】
図１Ａには、調べられる３つの関心点、１０１、１０２および１０３がある。しかし、われわれが議論しようとしている概念は、程度が変わるだけで、カバー・エリア全体にわたって適用可能である。また、ＯＦＤＭおよびＯＦＤＭＡネットワークなど、いくつかのネットワーク・タイプについて議論するが、本明細書で議論する概念は多くのネットワーク・タイプに適用されることができることにも留意されたい。
【００２１】
ＯＦＤＭネットワークは多くの（２５６〜１０２４が典型的である）直交キャリアを含む。そのようなシステムでは、干渉を低減するために、１つの通信接続ごとにサブキャリア・アグリゲーションが形成され（通常約１６から３２程度）、その結果、容量（スループット）を増大する。さらに多くのアクティブ・ユーザをサポートするために、サブキャリアはタイムシェアされてもよく、フレーム・バイ・フレーム・ベースで様々な移動局に再割当てされてもよく、典型的なフレームは５ｍｓである。そのようなシステムでは、複数の移動装置が他の装置によって使用されるキャリアのうちのいくつか（ただし、すべてではない）を共用することができる。特定の接続を形成するサブキャリアが適切に選択された場合、移動装置間の干渉が最低限まで低減される。ＯＦＤＭシステムのさらに完全な説明が、ここに参照により本明細書に組み込まれる、Ｒｉｃｈａｒｄ  Ｄ．Ｊ．Ｖａｎ  ＮｅｅおよびＲａｍｊｅｅ  Ｐｒａｓａｄ（ＩＳＢＮ  ０８９００６５３０６）による「ＯＦＤＭ  ｆｏｒ  Ｗｉｒｅｌｅｓｓ  Ｍｕｌｔｉｍｅｄｉａ  Ｃｏｍｍｕｎｉｃａｔｉｏｎｓ」に含まれている。さらに、ここに参照により本明細書に組み込まれる以下の参考文献が伝搬損失を計算するのに有用である。Ｙｏｓｈｉｈｉｓａ  Ｏｋｕｍｕｒａらによる、「Ｆｉｅｌｄ  Ｓｔｒｅｎｇｔｈ  ａｎｄ  Ｉｔｓ  Ｖａｒｉａｂｉｌｉｔｙ  ｉｎ
ＶＨＦ  ａｎｄ  ＵＨＦ  Ｌａｎｄ‐Ｍｏｂｉｌｅ  Ｒａｄｉｏ  Ｓｅｒｖｉｃｅ」、Ｒｅｖｉｅｗ  ｏｆ  ｔｈｅ  Ｅｌｅｃｔｒｉｃａｌ  Ｃｏｍｍｕｎｉｃａｔｉｏｎｓ  Ｌａｂｏｒａｔｏｒｙ、第１６巻、９〜１０号、１９６８年９月〜１０月、およびＨａｔａ  「Ｅｍｐｉｒｉｃａｌ  ｆｏｒｍｕｌａ  ｆｏｒ  ｐｒｏｐａｇａｔｉｏｎ  ｌｏｓｓ  ｉｎ  Ｌａｎｄ  Ｍｏｂｉｌｅ  ｒａｄｉｏ  ｓｅｒｖｉｃｅｓ」、ＩＥＥＥ  Ｔｒａｎｓａｃｔｉｏｎｓ  ｏｎ  Ｖｅｈｉｃｕｌａｒ  Ｔｅｃｈｎｏｌｏｇｙ、第２９巻、３号、１９８０年８月。
【００２２】
あるエリアでの無線の使用の増加、または既存の送信を妨害する構造体の建設のいずれかによって新規基地局の必要が生じた場合、最も効果的な可能なサイトを決定するために技術計算が行われる。これらの計算は、所望の追加容量の量および追加カバー・エリアの量を含めて、無数の要因を考慮に入れる。しかし、技術要因は重要であるが、土地の利用可能性ならびに政府の認可および規制当局の認可を取得する能力など、その他の要因も考慮されなければならない。基地局（トランシーバ）のために新規の位置、たとえば図１の位置１１０が決定された後は、そのサイトで基地局が建設される。
【００２３】
基地局がオン・ラインになる準備ができた場合、従来それに続いて行われてきた手順は、計算された距離および放射パターンを実現するようにアンテナが設定され、トランシーバが「ライト・アップ」し（オン・ラインになり）送信を始めることである。次いで、干渉およびその他の要因に関する計算が行われる。次いで、パワー・レベルに対する調整が行われ、周波数が変更され、新規基地局が確実にたとえば基地局１１への／からの送信に干渉しないようにアンテナ・チルト（物理的にまたは電子的に）ならびにその他の要因が調整される。しばしば、広範囲にわたる長たらしい駆動テストによってその結果が確認される。
【００２４】
本明細書で議論される概念に基づいて、新規基地局１３が位置１１０で建設されるが、オン・ラインになる前に、新規基地局（ＮＢＳ）１３が少なくとも２つの機能を実行する。第１の機能は、トランシーバのカバー・エリアの干渉範囲内で他の基地局からの無線トラフィックをモニタリングすることである。実行される第２の機能は、どんなレベルのカバー範囲が利用可能であるかを判定するためにその基地局のそのカバー・エリア内の移動装置とその他の基地局との間の無線トラフィックをモニタリングすることである。
【００２５】
たとえば、図１Ｂに示されているように、基地局１３は１０１の領域内でトラフィックをモニタリングし、既存の基地局１１からの良好なカバー範囲があり、エリア１０１の中への２つの基地局間の多分干渉があるであろうことを見つける。
【００２６】
基地局１３は領域１０２をモニタリングし、トランシーバ１１からの限界カバー範囲があることを確認し、エリア１０２は基地局１３がカバーすべきエリアであると結論を下すはずである。基地局１３はまた、領域１０３も調べ、無線装置がそのエリアで適切にサービスされていないことを確認し、エリア１０３がトランシーバ１３にとって良好なカバー・エリアであるはずであると結論を下す。
【００２７】
この手順は、新規基地局１３がそのエリア内の様々な通信装置からのカバー・エリアおよび送信を理解するまである時間の間続けられる。その時点で、基地局１３は「ライト・アップ」し、オン・ラインになる。オン・ラインになった後は、基地局１３は、実際に、予期しない干渉があるかどうか確かめるために、トラフィックをモニタリングすることができる。ある状況では、いずれかの基地局の一部分でもよく別個の独立型制御センタでもよいセントラル・コントロール１２０が、複数の基地局から信号および測定値を受信し、それらの基地局のうちの１つまたは複数の基地局にそれらの基地局がそれらのカバー・エリアのパワー・レベル、周波数、さらにはそれらの動作モードさえも変更するように要求する調整コマンドを送信するように動作することができる。トラフィック・パターンは１日の時間によっておよび平日と週末の間で変わるので、基地局１３は平均的「ベスト・エフォート」構成としてセットアップされることができることに留意されたい。また、基地局１３は（または本明細書で議論される概念を使用するいかなる基地局も）、そのような様々な時間（繁忙時間帯、昼／夜、平日、週末、緊急時など）に適した複数の組のパラメータをメモリに保持することができ、したがって、ＢＳのパラメータをそれらの時間に最も適するように調整することができることにも留意されたい。
【００２８】
新規基地局１３がオン・ラインになった後、他の基地局は、所望された場合、同じモニタリング機能を実行し、ネットワークを最適化するようにそれら自体を調整することができる。この最適化は、定期的ベースででも、あるいは、ある数のコールがドロップされた場合、またはある数の移動局が高干渉レベルを報告した場合など、あるトリガの下ででもよい。基地局が互いに相互作用してネットワークの不安定化を引き起こさないように基地局間の制御が必要になる。
【００２９】
図２は、新規基地局の追加の「プラグ・アンド・プレイ」性質を示す流れ図の一実施形態２０を示し、新規基地局をオン・ラインにする一例を示す。プロセス２０１では、新規基地局（ＮＢＳ）がカバー・エリア内のすべての基地局放射に同調するようにＮＢＳを制御する。ＮＢＳは他のＢＳ周波数および／またはタイムスロットに同調する。これは、ＮＲＳにおけるまたはそのまわりの信号および干渉に関してマッピング・プロセスを開始するために行われる。ＮＢＳは、パワーがノイズ閾値またはその他の設定閾値より高いすべての基地局から受信したパワーを測定する。これは、ＮＢＳが、そのカバー・エリア内にどんな装置があるかおよびどんな周波数が含まれているかを知るために必要である。ＮＢＳによって取得された情報の中には、セントラル・コントロール（ＮＯＣ）１２０から来て、下記の計算をするために使用されるものもある。
ａ．各基地局（ＢＳ）からＮＢＳへのパス・ロス、
ｂ．各ＢＳへのＮＢＳの範囲内の移動局（ＭＳ）の予測パス・ロス（計算式）、および
ｃ．ＮＢＳと通信している想定ＭＳのパス・ロス（ＰＬ）対距離関数（これは角依存である可能性がある）（計算式、モデル）。
【００３０】
プロセス２０２では、各基地局で各チャネルの信号レベルを測定する。ログは、近くのＢＳからＮＢＳで受信された周波数およびパワー・レベルから作られる。
【００３１】
プロセス２０３では、ランクがパワーまたはその他のいずれかの所望のパラメータによって信号レベルを順位づける。たとえば、ＢＳがどのようなチャネルを選択してよいかの第１指示を提供するパワー・ランク順位リストがコンパイルされ、最も弱い信号が選択肢になる可能性が最も大きい。
【００３２】
プロセス２０４では、送信移動局の送信を同調し、Ｘ時間モニタリングし、各移動局を特定の基地局に関連付ける。ＭＳのホストから受信されたパワーをモニタリングし集約することによってデータ・セットが収集される。ＮＢＳはＮＯＣからチャネルおよびそれらの関連ＢＳの位置を知る。このモニタリングは、新規基地局が移動局へのおよびそれらからの送信のピクチャならびにそれらの移動局が誰と通信しているかを取得し、無線トラフィックのはっきりとしたピクチャを取得するのに数時間から数日を要することができるためである。実際の時間は必要とされる正確さに依存する。
【００３３】
プロセス２０５では、ＭＳで、ならびにＮＢＳから任意の所与の距離にあるＭＳおよびＢＳから受信されたパワーを計算することにより、各基地局の移動局受信信号レベル分布を計算する。各ＢＳに関連するＭＳは、ユニークな周波数、タイムスロット、および、規格（たとえば、ＩＥＥＥ８０２．１６ａ）によって規定されるその他のパイロット・アドレッシング方式によって知り得る。各ＢＳには、様々な位置によるＭＳ信号レベルの分布がある。ＮＢＳは、ＮＢＳの潜在的に利用可能なパワー・アンテナの利得、高さ、地形パラメータなどに基づいて、ＭＳがＮＢＳから離れている可能性がある予想最大距離を計算する。ＮＢＳはまた、信号対干渉比（ＳＩＲ）＝１であるＮＢＳからのＭＳの予想距離を計算する。すなわち、ＭＳは、ＮＢＳおよび同じチャネル上の最強の既存ＢＳから等しいパワーを受信する。
【００３４】
これは、図３の例示図３０によって示されている。最強のＢＳはＢＳ（１）であり、範囲Ａ’〜Ｂ’はＳＩＲ＝１である（すなわち、信号と干渉が等しい）使用可能な範囲である。干渉が要因でない場合、範囲ＣはＮＢＳの範囲であるはずである。範囲Ｃは、ＮＢＳの送信パラメータ（パワー、周波数、チルト、パターン、偏波など）、ならびに地形、樹木の葉、建物などに基づいて変わることに留意されたい。
【００３５】
プロセス２０６では、オペレータが前もって１組の目標を入力してある（たとえば、あるエリアにおける容量を増大する）。これは、定数Ｗ、ＹおよびＺが以下の信号フローで使用されるような理想的な設定を計算することになる。プロセス２０６では、これらのシステム目標または必要条件に応じてＮＢＳを調整する。このステップは、たとえば、サービス・プロバイダ支援の目標を必要とする。目標は、モバイルでＳＩＲがＸｄＢ（０、＋３、＋６、マイナスはそのＢＳがフルでない限り他のＢＳがＭＳを取り扱うべきなので一般に有用でない）に等しくなるまで範囲を拡大することでもよい。代替目標は、トラフィックの所定の量が所与の範囲内で取得されるまで範囲を拡大することでもよい。セクタ・パターンおよびダウン・チルトを調整することによりさらなる最適化が実現されることができる。たとえば、ＮＢＳはトラフィックを増大するためにビーム幅を拡大することができる、またはカバー・エリア内部の干渉を低減するためにダウン・チルトを増大することができる。
【００３６】
プロセス２０７では、移動局および信号があるｄＢレベルＹより低いチャネルがあるかどうか判定する。パラメータＹは、最も理想的なチャネルが見つけられるように非常に低く設定されてもよい。答えがイエスの場合、基地局１３は、少なくとも一時的にプロセス２０８を介してそのチャネルをそれ自体に割り当て、この時点で、少なくともそのチャネルに関して、プロセス４０４で、オン・ラインになることもできる。このコンテキストでは、それはチャネルでも、１組のサブチャネルでも、あるいはそれらの任意の組合せでもよい。
【００３７】
プロセス２０７の基準が満たされることができない場合、低減された必要条件がテストされる。プロセス２１０で、ＭＳのあるパーセンテージＷが基準を満たす場合、そのチャネルが割り当てられ（プロセス２１１）、プロセス２０９でＢＳがオン・ラインにされる。
【００３８】
プロセス２１０で答えがノーの（すなわち、低減された基準さえも満たされない）場合、プロセス２１２で利用可能チャネルのサブセットがあるかどうか判定する。プロセス２１０で答えがイエスの場合、基地局はプロセス２１３を介してそれ自体にそれらのサブセットを割り当て、低減された容量のＨＢＳがオン・ラインにされる（プロセス２０９）。プロセス２１２で答えがノーの場合、新規の１組の必要条件がプロセス２１４を介して与えられ（われわれの例では新規のＹ、ＺおよびＷ）、ＮＢＳが動作可能になるまでプロセス４０６〜４１４が繰り返される。
【００３９】
新規の必要条件は、たとえば、干渉を低減するまたはシステム容量を増大するようにＢＳパワーおよびアンテナ・パラメータを調整することによるＮＯＣ１２０の制御下での他のＢＳからの送信パラメータの変更でもよい。また、ＮＢＳは、「ライト・アップ」した後、ＭＳからの様々な情報に基づいてそのパス・ロスの推定をリファインすることができる。これはＭＳが受信する最強のパイロット信号に基づいてＭＳがＢＳを選択することに基づき、ＮＢＳは到着データの時間（分布）から実際のＭＳの範囲を判定することができる。したがって、ＮＢＳはパワーおよび／またはアンテナ・パラメータを所望のカバー範囲によりよく合致するように調整することができる。
【００４０】
ロジック・フローは、ＮＢＳが、たとえば、増大されたトラフィック対トランシーバ信号パワーまたは対アンテナ・ダウン・チルトをモニタリングするために起動された後、容易に拡大されることができる（ライン２２０）。
【００４１】
本発明およびその利点が詳細に説明されてきたが、様々な変更、代替、および改変が添付の特許請求の範囲によって定義される本発明の主旨および範囲から逸脱することなく本明細書で行われることができることを理解されたい。さらに、本出願の範囲は、本明細書に記載されたプロセス、機械、製品、組成物、手段、方法およびステップの特定の実施形態に限定されないものとする。本発明の開示から当業者は容易に理解するであろうように、本明細書に記載された対応する実施形態と実質的に同じ機能を実行するまたは実質的に同じ結果を実現する現在存在するまたは後ほど開発されるべきプロセス、機械、製品、組成物、手段、方法、またはステップが、本発明に従って利用されることができる。したがって、添付の特許請求の範囲は、そのようなプロセス、機械、製品、組成物、手段、方法、またはステップをその範囲内に含むものとする。
【図１Ａ】
2014131340.tif 000003
【図１Ｂ】
2014131340.tif 000004
【図２】
2014131340.tif 000005
【図３】
2014131340.tif 000006